(57)【要約】  実施形態の音声合成辞書作成装置は、第１音声入力部と、第２音声入力部と、判定部と、作成部と、を有する。第１音声入力部は、第１音声データを入力する。第２音声入力部は、適切な音声データであるとみなされる第２音声データを入力する。判定部は、第１音声データの発声者と第２音声データの発声者とが同一であるか否かを判定する。作成部は、第１音声データの発声者と第２音声データの発声者とが同一であると判定部が判定した場合に、第１音声データ及び第１音声データに対応するテキストを用いて音声合成辞書を作成する。
2014203370.tif 000002
【特許請求の範囲】
【請求項１】
第１音声データを入力する第１音声入力部と、
適切な音声データであるとみなされる第２音声データを入力する第２音声入力部と、
前記第１音声データの発声者と前記第２音声データの発声者とが同一であるか否かを判定する判定部と、
前記第１音声データの発声者と前記第２音声データの発声者とが同一であると前記判定部が判定した場合に、前記第１音声データ及び前記第１音声データに対応するテキストを用いて音声合成辞書を作成する作成部と、
を有する音声合成辞書作成装置。
【請求項２】
複数のテキストを記憶する記憶部と、
前記記憶部が記憶する前記テキストのいずれかを提示する提示部と、
をさらに有し、
前記第２音声入力部は、
前記提示部が提示した前記テキストを発声した音声データを適切な音声データであるとみなされる前記第２音声データとする
請求項１に記載の音声合成辞書作成装置。
【請求項３】
前記提示部は、
前記記憶部が記憶する前記テキストのいずれかをランダムに提示すること及び所定時間に限って提示することの少なくともいずれかを行う
請求項２に記載の音声合成辞書作成装置。
【請求項４】
前記判定部は、
前記第１音声データの特徴量と前記第２音声データの特徴量とを比較することにより、前記第１音声データの発声者と前記第２音声データの発声者とが同一であるか否かを判定する
請求項１に記載の音声合成辞書作成装置。
【請求項５】
前記判定部は、
前記第１音声データ及び前記第２音声データの単語認識率、単語正答率、振幅、基本周波数及びスペクトル包絡の少なくともいずれかに基づく特徴量を比較する
請求項４に記載の音声合成辞書作成装置。
【請求項６】
前記判定部は、
前記第１音声データの特徴量と前記第２音声データの特徴量との差分が所定の閾値以下、又は相関が所定の閾値以上である場合に、前記第１音声データの発声者と前記第２音声データの発声者とが同一であると判定する
請求項５に記載の音声合成辞書作成装置。
【請求項７】
前記第１音声データに対応するテキストを入力するテキスト入力部をさらに有し、
前記判定部は、
前記テキスト入力部が入力したテキストを発声したものが前記第１音声データであるとして、前記第１音声データの発声者と前記第２音声データの発声者とが同一であるか否かを判定する
請求項１に記載の音声合成辞書作成装置。
【請求項８】
前記第２音声入力部は、
音声データを入力する音声入力部と、
前記音声入力部が入力した音声データに含まれる認証情報を検出する検出部と、
を有し、
前記検出部が前記認証情報を検出した音声データを適切であるとみなされる前記第２音声データとする
請求項１に記載の音声合成辞書作成装置。
【請求項９】
前記認証情報は、
音声透かし又は音声波形暗号である
請求項８に記載の音声合成辞書作成装置。
【請求項１０】
第１音声データを入力する工程と、
適切な音声データであるとみなされる第２音声データを入力する工程と、
前記第１音声データの発声者と前記第２音声データの発声者とが同一であるか否かを判定する工程と、
前記第１音声データの発声者と前記第２音声データの発声者とが同一であると判定した場合に、前記第１音声データ及び前記第１音声データに対応するテキストを用いて音声合成辞書を作成する工程と、
を含む音声合成辞書作成方法。
【発明の詳細な説明】
【技術分野】
【０００１】
本発明の実施形態は、音声合成辞書作成装置及び音声合成辞書作成方法に関する。
【背景技術】
【０００２】
近年、音声合成技術の品質向上に伴い、カーナビゲーションシステム、携帯電話による音声メール読み上げ、音声アシスタントなど、音声合成の利用範囲が急激に拡大している。また、一般ユーザの音声から音声合成辞書を作成するサービスも提供されており、収録音声さえあれば、誰の声からでも音声合成辞書を作成することが可能である。
【先行技術文献】
【特許文献】
【０００３】
【特許文献１】特開２０１０−１１７５２８号公報
【発明の概要】
【発明が解決しようとする課題】
【０００４】
しかしながら、ＴＶやインターネットなどから音声が不正に入手されてしまうと、他人になりすまして音声合成辞書を作成することも可能となり、悪用される危険性がある。本発明が解決しようとする課題は、音声合成辞書が不正に作成されることを防止することができる音声合成辞書作成装置及び音声合成辞書作成方法を提供することである。
【課題を解決するための手段】
【０００５】
実施形態の音声合成辞書作成装置は、第１音声入力部と、第２音声入力部と、判定部と、作成部と、を有する。第１音声入力部は、第１音声データを入力する。第２音声入力部は、適切な音声データであるとみなされる第２音声データを入力する。判定部は、第１音声データの発声者と第２音声データの発声者とが同一であるか否かを判定する。作成部は、第１音声データの発声者と第２音声データの発声者とが同一であると判定部が判定した場合に、第１音声データ及び第１音声データに対応するテキストを用いて音声合成辞書を作成する。
【図面の簡単な説明】
【０００６】
【図１】第１実施形態にかかる音声合成辞書作成装置の構成を例示する構成図。
【図２】第１実施形態にかかる音声合成辞書作成装置の変形例の構成を例示する構成図。
【図３】第１実施形態にかかる音声合成辞書作成装置が音声合成辞書を作成する動作を例示するフローチャート。
【図４】第１実施形態にかかる音声合成辞書作成装置を有する音声合成辞書作成システムの動作例を模式的に示した図。
【図５】第２実施形態にかかる音声合成辞書作成装置の構成を例示する構成図。
【図６】第２実施形態にかかる音声合成辞書作成装置が音声合成辞書を作成する動作を例示するフローチャート。
【図７】第２実施形態にかかる音声合成辞書作成装置を有する音声合成辞書作成システムの動作例を模式的に示した図。
【発明を実施するための形態】
【０００７】
（第１実施形態）
以下に添付図面を参照して、第１実施形態にかかる音声合成辞書作成装置について説明する。図１は、第１実施形態にかかる音声合成辞書作成装置１ａの構成を例示する構成図である。なお、音声合成辞書作成装置１ａは、例えば、汎用のコンピュータなどによって実現される。即ち、音声合成辞書作成装置１ａは、例えばＣＰＵ、記憶装置、入出力装置及び通信インターフェイスなどを備えたコンピュータとしての機能を有する。
【０００８】
図１に示すように、音声合成辞書作成装置１ａは、第１音声入力部１０、第１記憶部１１、制御部１２、提示部１３、第２音声入力部１４、分析判定部１５、作成部１６及び第２記憶部１７を有する。なお、第１音声入力部１０、制御部１２、提示部１３、第２音声入力部１４、分析判定部１５及び作成部１６は、それぞれハードウェア、又はＣＰＵにより実行されるソフトウェアのいずれで構成されてもよい。第１記憶部１１及び第２記憶部１７は、例えばＨＤＤ（Hard  Disk  Drive）又はメモリなどによって構成される。つまり、音声合成辞書作成装置１ａは、音声合成辞書作成プログラムを実行することによって機能を実現するように構成されてもよい。
【０００９】
第１音声入力部１０は、例えば図示しない通信インターフェイスなどを介して入力される例えば任意のユーザの音声データ（第１音声データ）を受入れ、分析判定部１５に対して入力する。また、第１音声入力部１０は、通信インターフェイスやマイクなどのハードウェアを含むものであってもよい。
【００１０】
第１記憶部１１は、複数のテキスト（又は録音テキスト）を記憶しており、制御部１２の制御に応じて、記憶しているテキストのいずれかを出力する。制御部１２は、音声合成辞書作成装置１ａを構成する各部を制御する。また、制御部１２は、第１記憶部１１が記憶しているテキストのいずれかを選択し、第１記憶部１１から読み出して提示部１３に対して出力する。
【００１１】
提示部１３は、第１記憶部１１が記憶しているテキストのいずれかを、制御部１２を介して受入れ、ユーザに対して提示する。ここで、提示部１３は、第１記憶部１１が記憶しているテキストをランダムに提示する。また、提示部１３は、テキストを所定時間（例えば数秒〜１分程度）に限って提示する。なお、提示部１３は、例えば表示装置、スピーカ又は通信インターフェイスなどであってもよい。つまり、提示部１３は、選択されたテキストをユーザが認識して発声できるように、テキストの表示、又は録音テキストの音声出力などによるテキストの提示を行う。
【００１２】
第２音声入力部１４は、提示部１３が提示したテキストを任意のユーザが例えば読み上げて発声した音声データを適切な音声データ（第２音声データ）であるとみなして受入れ、分析判定部１５に対して入力する。第２音声入力部１４は、例えば図示しない通信インターフェイスなどを介して第２音声データを受入れてもよい。また、第２音声入力部１４は、第１音声入力部１０と共通の通信インターフェイスやマイクなどのハードウェア、又は共通のソフトウェアを含むものであってもよい。
【００１３】
分析判定部１５は、第１音声入力部１０を介して第１音声データを受入れた場合に、提示部１３がテキストを提示するように、制御部１２に対して動作を開始させる。また、分析判定部１５は、第２音声入力部１４を介して第２音声データを受入れた場合に、第１音声データの特徴量と第２音声データの特徴量とを比較することにより、第１音声データの発声者と第２音声データの発声者とが同一であるか否かを判定する。
【００１４】
例えば、分析判定部１５は、第１音声データ及び第２音声データに対して音声認識を行い、第１音声データ及び第２音声データそれぞれに対応するテキストを生成する。また、分析判定部１５は、第２音声データについて、例えば、信号ノイズ比（ＳＮＲ）、振幅値が所定の閾値以上であるか否かなど音声品質のチェックを行ってもよい。また、分析判定部１５は、第１音声データ及び第２音声データによってそれぞれ示される振幅値、基本周波数（Ｆ０）の平均や分散、スペクトル包絡抽出結果の相関や、音声認識の単語正解率、単語認識率の少なくともいずれかに基づく特徴量を比較する。ここでスペクトル包絡抽出方式として、線形予測係数（ＬＰＣ）、メル周波数ケプストラム係数、線スペクトル対（ＬＳＰ）、メルＬＰＣ、メルＬＳＰなどが挙げられる。
【００１５】
そして、分析判定部１５は、第１音声データの特徴量と第２音声データの特徴量を比較する。分析判定部１５は、第１音声データと第２音声データとの特徴量間における差分が所定の閾値以下、又は相関が所定の閾値以上である場合に、第１音声データの発声者と第２音声データの発声者とが同一であると判定する。ここで、分析判定部１５が判定に用いる閾値は、事前に大量のデータから同一人物における特徴量の平均、分散や音声認識結果を学習することによって設定されるものとする。
【００１６】
また、分析判定部１５は、第１音声データの発声者と第２音声データの発声者とが同一であると判定した場合に、音声が適切であるとする。そして、分析判定部１５は、発声者が同一であると判定した第１音声データ（及び第２音声データ）を適切な音声データとして作成部１６に対して出力する。なお、分析判定部１５は、第１音声データ及び第２音声データを分析する分析部と、判定を行う判定部とに分けられてもよい。
【００１７】
作成部１６は、分析判定部１５を介して受入れた第１音声データから、音声認識技術を用いて、発声内容を示すテキストを作成する。そして、作成部１６は、作成したテキストと第１音声データを用いて音声合成辞書を作成し、第２記憶部１７に対して出力する。第２記憶部１７は、作成部１６から受入れた音声合成辞書を記憶する。
【００１８】
（第１実施形態の変形例）
図２は、図１に示した第１実施形態にかかる音声合成辞書作成装置１ａの変形例（音声合成辞書作成装置１ｂ）の構成を例示する構成図である。図２に示すように、音声合成辞書作成装置１ｂは、第１音声入力部１０、第１記憶部１１、制御部１２、提示部１３、第２音声入力部１４、分析判定部１５、作成部１６、第２記憶部１７及びテキスト入力部１８を有する。なお、図２に示した音声合成辞書作成装置１ｂにおいて、図１に示した音声合成辞書作成装置１ａを構成する各部と実質的に同一の部分には同一の符号が付してある。
【００１９】
テキスト入力部１８は、例えば図示しない通信インターフェイスなどを介して第１音声データに対応するテキストを受入れ、分析判定部１５に対して入力する。また、テキスト入力部１８は、テキストの入力が可能な入力装置などのハードウェアを含むものであってもよいし、ソフトウェアで構成されてもよい。
【００２０】
ここで、分析判定部１５は、テキスト入力部１８に入力されたテキストをユーザが発声したものが第１音声データであるとして、第１音声データの発声者と第２音声データの発声者とが同一であるか否かを判定する。そして、作成部１６は、分析判定部１５が適切であると判定した音声と、テキスト入力部１８に入力されたテキストとを用いて音声合成辞書を作成する。つまり、音声合成辞書作成装置１ｂは、テキスト入力部１８を有することにより、音声認識によるテキスト作成を行う必要がないため、処理負担を軽減することができる。
【００２１】
次に、第１実施形態にかかる音声合成辞書作成装置１ａ（又は音声合成辞書作成装置１ｂ）が音声合成辞書を作成する動作について説明する。図３は、第１実施形態にかかる音声合成辞書作成装置１ａ（又は音声合成辞書作成装置１ｂ）が音声合成辞書を作成する動作を例示するフローチャートである。
【００２２】
図３に示すように、ステップ１００（Ｓ１００）において、第１音声入力部１０は、例えば図示しない通信インターフェイスなどを介して入力される第１音声データを受入れ、分析判定部１５に対して入力する（第１の音声入力）。
【００２３】
ステップ１０２（Ｓ１０２）において、提示部１３は、録音テキスト（又はテキスト）をユーザに対して提示する。
【００２４】
ステップ１０４（Ｓ１０４）において、第２音声入力部１４は、提示部１３が提示したテキストをユーザが例えば読み上げて発声した音声データを適切な音声データ（第２音声データ）であるとみなして受入れ、分析判定部１５に対して入力する。
【００２５】
ステップ１０６（Ｓ１０６）において、分析判定部１５は、第１音声データ及び第２音声データそれぞれの特徴量を抽出する。
【００２６】
ステップ１０８（Ｓ１０８）において、分析判定部１５は、第１音声データの特徴量と第２音声データの特徴量とを比較することにより、第１音声データの発声者と第２音声データの発声者とが同一であるか否かを判定する。ここで、音声合成辞書作成装置１ａ（又は音声合成辞書作成装置１ｂ）は、第１音声データの発声者と第２音声データの発声者とが同一であると分析判定部１５が判定した場合（Ｓ１０８：Ｙｅｓ）には、音声が適切であるとしてＳ１１０の処理に進む。また、音声合成辞書作成装置１ａ（又は音声合成辞書作成装置１ｂ）は、第１音声データの発声者と第２音声データの発声者とが同一でないと分析判定部１５が判定した場合（Ｓ１０８：Ｎｏ）には、処理を終了する。
【００２７】
ステップ１１０（Ｓ１１０）において、作成部１６は、分析判定部１５が適切であると判定した第１音声データ（及び第２音声データ）と、第１音声データ（及び第２音声データ）に対応するテキストとを用いて音声合成辞書を作成し、第２記憶部１７に対して出力する。
【００２８】
図４は、音声合成辞書作成装置１ａを有する音声合成辞書作成システム１００の動作例を模式的に示した図である。音声合成辞書作成システム１００は、音声合成辞書作成装置１ａを有し、図示しないネットワークを介してデータ（音声データ、テキストなど）の入出力を行う。つまり、音声合成辞書作成システム１００は、システムを使用するユーザからアップロードされた音声を用いて音声合成辞書を作成し、提供可能にするシステムである。
【００２９】
図４において、第１音声データ２０は、Ａさんが任意の内容のテキストを任意数発声した音声から生成される音声データであり、第１音声入力部１０によって入力される。
【００３０】
提示例２２は、音声合成辞書作成装置１ａが提示するテキスト「最新式のテレビは５０型」をユーザに発声させることを促している。第２音声データ２４は、音声合成辞書作成装置１ａが提示したテキストをユーザが読み上げた音声データであり、第２音声入力部１４に対して入力される。ＴＶやインターネットを介して入手した音声では、音声合成辞書作成装置１ａがランダムに提示するテキストについて発声することは困難である。第２音声入力部１４は、受入れた音声データを適切なデータであるとみなし、分析判定部１５に出力する。
【００３１】
分析判定部１５は、第１音声データ２０の特徴量と、第２音声データ２４の特徴量とを比較することにより、第１音声データ２０の発声者と第２音声データ２４の発声者とが同一であるか否かを判定する。
【００３２】
音声合成辞書作成システム１００は、第１音声データ２０の発声者と第２音声データ２４の発声者とが同一である場合には音声合成辞書を作成し、例えば音声合成辞書を作成する旨を示す表示２６をユーザに表示する。また、音声合成辞書作成システム１００は、第１音声データ２０の発声者と第２音声データ２４の発声者とが同一でない場合には第１音声データ２０をリジェクトし、例えば音声合成辞書を作成しない旨を示す表示２８をユーザに表示する。
【００３３】
（第２実施形態）
次に、第２実施形態にかかる音声合成辞書作成装置について説明する。図５は、第２実施形態にかかる音声合成辞書作成装置３の構成を例示する構成図である。なお、音声合成辞書作成装置３は、例えば、汎用のコンピュータなどによって実現される。即ち、音声合成辞書作成装置３は、例えばＣＰＵ、記憶装置、入出力装置及び通信インターフェイスなどを備えたコンピュータとしての機能を有する。
【００３４】
図５に示すように、音声合成辞書作成装置３は、第１音声入力部１０、音声入力部３１、検出部３２、分析部３３、判定部３４、作成部１６及び第２記憶部１７を有する。なお、図５に示した音声合成辞書作成装置３において、図１に示した音声合成辞書作成装置１ａを構成する各部と実質的に同一の部分には同一の符号が付してある。
【００３５】
音声入力部３１、検出部３２、分析部３３、及び判定部３４は、それぞれハードウェア、又はＣＰＵにより実行されるソフトウェアのいずれで構成されてもよい。つまり、音声合成辞書作成装置３は、音声合成辞書作成プログラムを実行することによって機能を実現するように構成されてもよい。
【００３６】
音声入力部３１は、例えば認証情報を埋め込むことが可能な音声録音装置によって録音された音声データ、及び他の録音装置によって録音された音声データなどの任意の音声データを検出部３２に対して入力する。
【００３７】
なお、認証情報を埋め込むことが可能な音声録音装置は、例えば音声全体、規定の文章内容、又は文章の番号などに逐次ランダムに認証情報を埋め込む。埋め込む方式は、例えば公開鍵又は共通鍵などを用いた暗号化、又は電子透かしなどがある。認証情報が暗号の場合には、音声波形を暗号化する（波形暗号化）。また、音声に適用する電子透かしには、継時マスキングを利用したエコー拡散法、振幅スペクトルを操作・変調してビット情報を埋め込むスペクトル拡散法やパッチワーク法、位相を変調することでビット情報を埋め込む位相変調法などがある。
【００３８】
検出部３２は、音声入力部３１が入力した音声データに含まれる認証情報を検出する。また、検出部３２は、認証情報が埋め込まれている音声データから認証情報を抽出する。埋め込み方式が波形暗号化の場合には、検出部３２は、秘密鍵などを用いて復号できることとする。また、認証情報が電子透かしの場合には、検出部３２は、各デコード手順によってビット情報を得る。
【００３９】
そして、検出部３２は、認証情報を検出した場合、入力された音声データが指定された音声録音装置により録音された音声データであるとみなす。このように、検出部３２は、認証情報を検出した音声データを適切であるとみなされる第２音声データとし、分析部３３に対して出力する。
【００４０】
なお、音声入力部３１及び検出部３２は、例えば一体にされ、任意の音声データに含まれる認証情報を検出し、認証情報を検出した音声データを適切であるとみなされる第２音声データとして出力する第２音声入力部３５として構成されてもよい。
【００４１】
分析部３３は、第１音声入力部１０から第１音声データを受入れ、検出部３２から第２音声データを受入れて、第１音声データ及び第２音声データを分析し、分析結果を判定部３４に対して出力する。
【００４２】
例えば、分析部３３は、第１音声データ及び第２音声データに対して音声認識を行い、第１音声データ及び第２音声データそれぞれに対応するテキストを生成する。また、分析部３３は、第２音声データについて、例えば、ＳＮＲ、振幅値が所定の閾値以上であるか否かなど音声品質のチェックを行ってもよい。また、分析部３３は、第１音声データ及び第２音声データによってそれぞれ示される振幅値、基本周波数（Ｆ０）、の平均や分散、スペクトル包絡抽出結果の相関や、音声認識の単語正解率、単語認識率の少なくともいずれかに基づく特徴量を抽出する。スペクトル包絡抽出方式は、上述した分析判定部１５（図２）が行う方式と同様のものが挙げられる。
【００４３】
判定部３４は、分析部３３が算出した特徴量それぞれを受入れる。そして、判定部３４は、第１音声データの特徴量と第２音声データの特徴量とを比較することにより、第１音声データの発声者と第２音声データの発声者とが同一であるか否かを判定する。例えば、判定部３４は、第１音声データと第２音声データとの特徴量間における差分が所定の閾値以下、又は相関が所定の閾値以上である場合に、第１音声データの発声者と第２音声データの発声者とが同一であると判定する。ここで、判定部３４が判定に用いる閾値は、事前に大量のデータから同一人物における特徴量の平均、分散や音声認識結果を学習することによって設定されるものとする。
【００４４】
また、判定部３４は、第１音声データの発声者と第２音声データの発声者とが同一であると判定した場合に、音声が適切であるとする。そして、判定部３４は、発声者が同一であると判定した第１音声データ（及び第２音声データ）を適切な音声データとして作成部１６に対して出力する。なお、分析部３３及び判定部３４は、音声合成辞書作成装置１ａの分析判定部１５（図１）と同様に動作する分析判定部３６として構成されてもよい。
【００４５】
次に、第２実施形態にかかる音声合成辞書作成装置３が音声合成辞書を作成する動作について説明する。図６は、第２実施形態にかかる音声合成辞書作成装置３が音声合成辞書を作成する動作を例示するフローチャートである。
【００４６】
図６に示すように、ステップ２００（Ｓ２００）において、第１音声入力部１０は、第１音声データを分析部３３に対して入力し、音声入力部３１は、任意の音声データを検出部３２に対して入力する（音声入力）。
【００４７】
ステップ２０２（Ｓ２０２）において、検出部３２は、認証情報を検出する。
【００４８】
ステップ２０４（Ｓ２０４）において、音声合成辞書作成装置３は、例えば検出部３２によって任意の音声データから認証情報が検出されたか否かを判定する。音声合成辞書作成装置３は、検出部３２が認証データを検出した場合（Ｓ２０４：Ｙｅｓ）には、Ｓ２０６の処理に進む。また、音声合成辞書作成装置３は、検出部３２が認証データを検出しなかった場合（Ｓ２０４：Ｎｏ）には、処理を終了する。
【００４９】
ステップ２０６（Ｓ２０６）において、分析部３３は、第１音声データ及び第２音声データそれぞれの特徴量を抽出する（分析）。
【００５０】
ステップ２０８（Ｓ２０８）において、判定部３４は、第１音声データの特徴量と第２音声データの特徴量とを比較することにより、第１音声データの発声者と第２音声データの発声者とが同一であるか否かの判定を行う。
【００５１】
ステップ２１０（Ｓ２１０）において、音声合成辞書作成装置３は、第１音声データの発声者と第２音声データの発声者とが同一であると判定部３４がＳ２０８の処理で判定した場合（Ｓ２１０：Ｙｅｓ）には、音声が適切であるとしてＳ２１２の処理に進む。また、音声合成辞書作成装置３は、第１音声データの発声者と第２音声データの発声者とが同一でないと判定部３４がＳ２０８の処理で判定した場合（Ｓ２１０：Ｎｏ）には、音声が適切でないとして、処理を終了する。
【００５２】
ステップ２１２（Ｓ２１２）において、作成部１６は、判定部３４が適切であると判定した第１音声データ（及び第２音声データ）に対応する音声合成辞書を作成し、第２記憶部１７に対して出力する。
【００５３】
図７は、音声合成辞書作成装置３を有する音声合成辞書作成システム３００の動作例を模式的に示した図である。音声合成辞書作成システム３００は、音声合成辞書作成装置３を有し、図示しないネットワークを介してデータ（音声データなど）の入出力を行う。つまり、音声合成辞書作成システム３００は、ユーザからアップロードされた音声を用いて音声合成辞書を作成し、提供するシステムである。
【００５４】
図７において、第１音声データ４０は、Ａさん又はＢさんが任意の内容のテキストを任意数発声した音声から生成される音声データであり、第１音声入力部１０によって入力される。
【００５５】
例えば、Ａさんは、認証情報埋め込み部を有する録音装置４２が示すテキスト「最新式のテレビは５０型」を読み上げ、音声録音を行う。Ａさんが発声したテキストは、認証情報が埋め込まれた認証情報埋め込み音声４４となる。よって、認証情報埋め込み音声（第２音声データ）４４は、音声データに対して認証情報を埋め込むことができる予め指定された録音装置によって録音された音声データであるとみなされる。つまり、適切な音声データとみなされる。
【００５６】
音声合成辞書作成システム３００は、第１音声データ４０の特徴量と、認証情報埋め込み音声（第２音声データ）４４の特徴量とを比較することにより、第１音声データ２０の発声者と認証情報埋め込み音声（第２音声データ）４４の発声者とが同一であるか否かを判定する。
【００５７】
音声合成辞書作成システム３００は、第１音声データ４０の発声者と認証情報埋め込み音声（第２音声データ）４４の発声者とが同一である場合には音声合成辞書を作成し、例えば音声合成辞書を作成する旨を示す表示４６をユーザに表示する。また、音声合成辞書作成システム３００は、第１音声データ４０の発声者と認証情報埋め込み音声（第２音声データ）４４の発声者とが同一でない場合には第１音声データ４０をリジェクトし、例えば音声合成辞書を作成しない旨を示す表示４８をユーザに表示する。
【００５８】
このように、実施形態にかかる音声合成辞書作成装置は、第１音声データの発声者と、適切な音声データであるとみなされる第２音声データの発声者とが同一であるか否かを判定するので、音声合成辞書が不正に作成されることを防止することができる。
【００５９】
また、本発明のいくつかの実施形態を複数の組み合わせによって説明したが、これらの実施形態は例として提示したものであり、発明の範囲を限定することは意図していない。これら新規の実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１ａ、１ｂ、３  音声合成辞書作成装置
１０  第１音声入力部
１１  第１記憶部
１２  制御部
１３  提示部
１４  第２音声入力部
１５  分析判定部
１６  作成部
１７  第２記憶部
１８  テキスト入力部
３１  音声入力部
３２  検出部
３３  分析部
３４  判定部
３５  第２音声入力部
３６  分析判定部
１００、３００  音声合成辞書作成システム
【図１】
2014203370.tif 000003
【図２】
2014203370.tif 000004
【図３】
2014203370.tif 000005
【図４】
2014203370.tif 000006
【図５】
2014203370.tif 000007
【図６】
2014203370.tif 000008
【図７】
2014203370.tif 000009
【国際調査報告】
2014203370.tif 000010
2014203370.tif 000011
2014203370.tif 000012
2014203370.tif 000013